(57)【要約】      （修正有）【課題】プッシュボタン錠の欠点である設定された開錠番号の探りを防止した、プッシュボタン錠設定探り防止機構を提供する。【解決手段】プッシュボタン１１および中ボタン１２と、その間に介装されたスプリング１３とを備えたボタン部材と、ハウジング内を前記中ボタンの側面に設けた開錠溝に向けて進退自在としたロックプレート１５およびハウジングの外部においてロックプレートに隣接配置されたオープンボタン１４，１６と、プッシュボタンおよび中ボタンの間に介装され、前記ロックプレートおよびクリアボタン１８と連動するガードプレート２１−１，２１−２とを備えたプッシュボタン錠であって、前記ガードプレートのプッシュボタンの通過を許容する凹部に、プッシュボタンに向けて突起を設けるとともに、プッシュボタンの底部に、前記突起の通過を許容する凹溝を設けて、プッシュボタン錠設定探り防止機構を提供する。【選択図】図１
0003158977.tif 000002
【実用新案登録請求の範囲】
【請求項１】
ハウジングの表面に進退自在に収納された、プッシュボタンおよび中ボタンと、プッシュボタンおよび中ボタンの間に介装されたスプリングとを備えたボタン部材と、
ハウジング内を前記中ボタンの側面に設けた開錠溝に向けて進退自在としたロックプレートおよびハウジングの外部においてロックプレートに隣接配置されたオープンボタンと、
プッシュボタンおよび中ボタンの間に介装され、前記ロックプレートおよびクリアボタンと連動するガードプレートとを備えたプッシュボタン錠であって、
前記ガードプレートのプッシュボタンの通過を許容する凹部に、プッシュボタンに向けて突起を設けるとともに、
プッシュボタンの底部に、前記突起の通過を許容する凹溝を設けたことを特徴とするプッシュボタン錠設定探り防止機構。
【請求項２】
プッシュボタン内に挿入されていた中ボタン端部の心棒をなくし、プッシュボタンと中ボタンの間に負荷をかけた際の互いの影響を解消したことを特徴とする請求項１記載のプッシュボタン錠設定探り防止機構。
【考案の詳細な説明】
【技術分野】
【０００１】
本考案は、従来のプッシュボタン錠の欠点である設定された開錠番号の探りを防止したプッシュボタン錠設定探り防止機構に関するものである。
【背景技術】
【０００２】
従来品のプッシュボタン錠は、図１８および図１９（ａ）、（ｂ）に示すように、ボタン部材を「プッシュボタン１０１」と「中ボタン１０２」に分け、間に「プッシュボタンスプリング１０３」を入れることによって、押してもプッシュボタン１０１部分が元の高さに戻るため、見た目にどのボタンを押したかはわからない機構になっている（盗み見防止）。
【０００３】
しかし、この製品の問題点として、「オープンボタン１０４」を開錠方向にテンション（力）を加えた状態でプッシュボタン１０１を触っていくと、下部方向へスライドした「ロックプレート１０５」と設定ＯＮ状態の中ボタン１０２とが干渉し、ボタンの押し込みに影響を与え、プッシュボタン１０１が固定されてしまう。その結果、ＯＮ・ＯＦＦでボタンの押し込む感覚が異なってしまい、設定番号の探りが可能となっていた。しかも、ロックプレート１０５に中ボタン１０２が押されることにより、中ボタン１０２の心棒１１１がプッシュボタン１０１の内側に干渉し、より探り易い状態となっていた。
【０００４】
そこで、図２０および図２１（ａ）〜（ｄ）に示すように、プッシュボタン１０１と中ボタン１０２との間に「ガードプレート１１０」を設けることが試みられた。
これは、設定のＯＮ・ＯＦＦ状態に関係なく、全てのプッシュボタン１０１をガードプレート１１０に当て、探りに対し一定した押し込み感覚を得ることを目的としている。
【０００５】
この改善策によれば、ガードプレート１１０はロックプレート１０５（およびクリアボタン）と連動しているため、ロックプレート１０５が下部方向（開錠位置方向）へスライドすれば、ガードプレート１１０も一緒にスライド方向に移動する。それにより、オープンボタン１０４を開錠方向にテンション（力）を加えた状態でプッシュボタン１０１を触っていってもガードプレート１１０がプッシュボタン１０１の押し込みを規制し、設定のＯＮ・ＯＦＦ状態に関係なく探りに対しすべて一定した押し込み感覚を得られることとなる。
【先行技術文献】
【特許文献】
【０００６】
【特許文献１】特にありません
【考案の概要】
【考案が解決しようとする課題】
【０００７】
しかしながら上記改善案においても、プッシュボタン１０１底面とガードプレート１１０の接する面積が少なく不十分だったことと、中ボタン１０２の心棒１１１の干渉が影響し、その結果としてボタンの押し込み感覚が異なることとなってしまっていた。
その対策として、（１）プッシュボタンとガードプレートの形状変更とガードプレートＲ・Ｌの追加、（２）中ボタンの心棒の取り除き、という改良を行った。
（１）プッシュボタンとガードプレートの形状変更とガードプレートＲ・Ｌの追加
改善案では最大で２箇所だったプッシュボタンとガードプレートの接地面をプッシュボタンとガードプレートの形状変更とガードプレートＲ・Ｌの追加によって全て４箇所にすることによりプッシュボタンが均等にガードプレートに当たり、押し込み感覚が均等になるようにした。
（２）中ボタンの心棒の取り除き
改善案で干渉していた中ボタンの心棒を取り除くことにより、プッシュボタンに直接干渉しないようにした。
上記２点の改良によって、探りによる不正開錠を防止することができる。
【課題を解決するための手段】
【０００８】
この考案のプッシュボタン錠設定探り防止機構は、ハウジングの表面に進退自在に収納された、プッシュボタンおよび中ボタンと、プッシュボタンおよび中ボタンの間に介装されたスプリングとを備えたボタン部材と、
ハウジング内を前記中ボタンの側面に設けた開錠溝に向けて進退自在としたロックプレートおよびハウジングの外部においてロックプレートに隣接配置されたオープンボタンと、
プッシュボタンおよび中ボタンの間に介装され、前記ロックプレートおよびクリアボタンと連動するガードプレートとを備えたプッシュボタン錠であって、
前記ガードプレートのプッシュボタンの通過を許容する凹部に、プッシュボタンに向けて突起を設けるとともに、
プッシュボタンの底部に、前記突起の通過を許容する凹溝を設けたことを特徴とするものである。
【０００９】
またこの考案のプッシュボタン錠設定探り防止機構は、プッシュボタン内に挿入されていた中ボタン端部の心棒をなくし、プッシュボタンと中ボタンの間に負荷をかけた際の互いの影響を解消したことをも特徴とするものである。
【考案の効果】
【００１０】
この考案のプッシュボタン錠設定探り防止機構においては、上述のような（１）プッシュボタンとガードプレートの形状変更とガードプレートＲ・Ｌの追加、（２）中ボタンの心棒の取り除き、という改良を行った。そのため次のような効果を得ることができるようになった。
（１）プッシュボタンとガードプレートの形状変更とガードプレートＲ・Ｌの追加
改善案では最大で２箇所だったプッシュボタンとガードプレートの接地面をプッシュボタンとガードプレートの形状変更とガードプレートＲ・Ｌの追加によって全て４箇所にすることによりプッシュボタンが均等にガードプレートに当たり、押し込み感覚が均等になるようにした。
（２）中ボタンの心棒の取り除き
改善案で干渉していた中ボタンの心棒を取り除くことにより、プッシュボタンに直接干渉しないようにした。
上記２点の改良によって、探りによる不正開錠をより確実に防止することができるようになった。
【図面の簡単な説明】
【００１１】
【図１】この考案のプッシュボタン錠設定探り防止機構の分解状態の斜視図である。
【図２】（ａ）はハウジングを構成する上部ボタンケースＢの正面図、（ｂ）はその右側面図、（ｃ）はその背面図である。
【図３】（ａ）は中側のガードプレートの正面図、（ｂ）はその底面図、（ｃ）は突起部分の要部拡大図、（ｄ）はその斜視図である。
【図４】（ａ）は外側のガードプレートの正面図、（ｂ）はその側面図、（ｃ）はその底面図、（ｄ）は突起部分の要部拡大図、（ｅ）はその斜視図である。
【図５】（ａ）はもう片方の外側のガードプレートの正面図、（ｂ）はその側面図、（ｃ）はその底面図、（ｄ）は突起部分の要部拡大図、（ｅ）はその斜視図である。
【図６】（ａ）はプッシュボタンの正面図、（ｂ）はその側面図、（ｃ）はその斜視図である。
【図７】（ａ）はハウジングを構成する下部ボタンケースＡの正面図、（ｂ）はその左側面図、（ｃ）はその底面図である。
【図８】（ａ）は中ボタンの正面図、（ｂ）はその側面図、（ｃ）はその背面図、（ｄ）は従来の中ボタンの斜視図、（ｅ）はこの考案の中ボタンの斜視図である。
【図９】（ａ）は設定ボタンの正面図、（ｂ）はその側面図、（ｃ）はその背面図、（ｄ）はその斜視図である。
【図１０】（ａ）はクリアボタンの正面図、（ｂ）はその側面図、（ｃ）はその底面図、（ｄ）はその斜視図である。
【図１１】（ａ）はロックプレートの正面図、（ｂ）はその斜視図である。
【図１２】（ａ）はこの考案のプッシュボタン錠設定探り防止機構の組付状態において、ガードプレートが探り操作前の施錠位置にあるときの正面図、（ｂ）はプッシュボタンの斜視図、（ｃ）はガードプレート部分の斜視図である。
【図１３】（ａ）はこの考案のプッシュボタン錠設定探り防止機構の組付状態において、ガードプレートが探り操作前の施錠位置にあるときの斜視図、（ｂ）はボタン部材の拡大側面図である。
【図１４】（ａ）はこの考案のプッシュボタン錠設定探り防止機構の組付状態において、ガードプレートが探り防止位置にあるときの正面図、（ｂ）はプッシュボタンの拡大正面図、（ｃ）はその斜視図である。
【図１５】（ａ）はこの考案のプッシュボタン錠設定探り防止機構の組付状態において、ガードプレートが探り防止位置にあるときの斜視図、（ｂ）はボタン部材の拡大側面図、（ｃ）は中ボタンの斜視図である。
【図１６】ガードプレートが探り操作前の施錠位置にあるときの要部拡大図である。
【図１７】ガードプレートが探り防止位置にあるときの要部拡大図である。
【図１８】従来品における探り操作前の施錠位置から探り防止位置に移行する状況の正面図である。
【図１９】（ａ）は従来品におけるボタン部材とロックプレートとの関係を示す斜視図、（ｂ）はその側面図である。
【図２０】ガードプレートを用いた改善案において、ガードプレートが探り操作前の施錠位置から探り防止位置に移行する状況の正面図である。
【図２１】（ａ）はガードプレートを用いた改善案において、ガードプレートが探り操作前の施錠位置にあるときの斜視図、（ｂ）はそのボタン部材の拡大側面図、（ｃ）はガードプレートを用いた改善案において、ガードプレートが探り防止位置にあるときの斜視図、（ｄ）はそのボタン部材の拡大側面図である。
【考案を実施するための形態】
【００１２】
図１は、この考案のプッシュボタン錠設定探り防止機構の１実施例を示す、分解状態の斜視図である。
この考案のプッシュボタン錠設定探り防止機構は、先ず第１に、ボタンケースＢからなる上部ハウジング３１の表面に進退自在に収納された、３列のプッシュボタン１１および中ボタン１２と、プッシュボタン１１および中ボタン１２の間に介装されたプッシュボタンスプリング１３とを備えたボタン部材１０とを備えている。
また、前記ボタンケースＢからなる上部ハウジング３１とボタンケースＡからなる下部ハウジング５１との間には、前記中ボタン１２の側面に設けた開錠溝（３２）に向けて進退自在としたロックプレート１５が内蔵され、各ハウジング３１，５１の上部に突出させたロックプレート１５端部には、ロックプレート１５に当接させるよう配置したオープンボタンＢ（１６）を介してオープンボタンＡ（１４）がネジ止めされている。
前記ロックプレート１５は３列の穴開き平板状をなし、各穴には中ボタン１２がはめ込まれている。
さらに、プッシュボタン１１および中ボタン１２の間には内側のガードプレートＡ，Ｂ（２１−１）およびその外側のガードプレートＬ，Ｒ（２１−２）が介装され、該ガードプレート２１−１，２１−２は前記ロックプレート１５およびクリアボタン（後述の１８）と連動するように、互いに連結一体化されている。
【００１３】
図において、１７は中ボタン１２の背後に取り付けた中ボタン１２に対応する３列の設定ボタンで、この設定ボタン１７は背面の−（マイナス）の溝（図示せず）を工具等で操作して所定の位置に回すことにより、設定ＯＮ−ＯＦＦができるようになっている。
また１８は３列の中ボタン１２間に昇降自在に取り付けた２列のクリアボタンであり、このクリアボタン１８は前記１対の内側のガードプレートＡ，Ｂ（２１−１）間に組み付けられている。
【００１４】
以下に各部材について詳細に説明する。
図２（ａ）〜（ｃ）において、ハウジング３１を構成する上部ハウジングＢはプッシュボタン１１を挿通する貫通穴３３を３列に配設され、貫通穴３３の上下位置には所定の高さのガイド３４が設けられていて、各列のガイド３４間には中側のガードプレート２１−１が、また各列のガイド３４の外側には左右一対の外側のガードプレート２１−２が昇降自在に収納されている。
【００１５】
図３（ａ）〜（ｄ）において、中側のガードプレート２１−１のプッシュボタン１１の通過を許容する凹部３５のほぼ中央には、プッシュボタン１１に向けて突起３６が設けてある。図中、３９はクリアボタン１８への組付け部である。
また、外側のガードプレートＲを説明する図４（ａ）〜（ｅ）、またガードプレートＬを説明する図５（ａ）〜（ｅ）において、外側のガードプレート２１−２のプッシュボタン１１の通過を許容する凹部３５のほぼ中央にも、プッシュボタン１１に向けて突起３６が設けてある。そして外側のガードプレート２１−２の一端には、中側のガードプレート２１−１側に向けて直角に折曲部３７が形成されており、この折曲部３７を中側のガードプレート２１−１端部のスリット３８に係合して、各ガードプレート２１−１，２１−２が連動して昇降するようになっている。
【００１６】
図６（ａ）〜（ｃ）において、プッシュボタン１１は角筒形のボタン本体４１とその底部に設けたフランジ部４２とで形成されており、該プッシュボタン１１の底部に設けたフランジ部４２には、前記角筒に対応してその４辺に前記ガードプレート２１−１，２１−２の突起３６の通過を許容する凹溝４３が設けてある。
【００１７】
図７（ａ）〜（ｃ）において、前記ハウジングの底部を構成するボタンケースＡからなる下部ハウジング５１は、前記３列の設定ボタン１７を収納してその背面を露出させる３列の開口部５２をその底面に形成され、前記ハウジング３１をガイドしてはめ込むためのガイド片５３を両側端部に所定間隔で各一対形成されている。
【００１８】
図８（ａ）〜（ｅ）において、前記中ボタン１２はその側壁の後部にロックプレート１５をはめ込む開錠溝３２が形成され、また後端部の端面には設定ボタン１７の先端をはめ込む凹孔６１が形成されている。なお、図２０および図２１（ｂ），（ｄ）に示した改善案における中ボタン１０２には図８（ａ）〜（ｄ）に示す心棒１１１が形成されているが、この考案においては心棒１１１は削除されている。
したがって、プッシュボタン１１と中ボタン１２の間に負荷をかけた際の互いの影響が解消され、より確実に探りを防止することができるようになった。
図において２２は、前記クリアボタン１８の両側に配置した突起１９を係合させて中ボタン１２を元の位置に復帰させるための突起である。
【００１９】
図９（ａ）〜（ｄ）において、前記設定ボタン１７は前記中ボタン１２端面の凹孔６１とほぼ等しい断面を有しており、また後端部の端面には設定ボタン１７を回すための−（マイナス）の溝６２が形成されている。
したがって、この溝６２に工具等をはめ込んで回すことにより、中ボタン１２を設定位置まで回すことができる。
【００２０】
図１０（ａ）〜（ｄ）において、前記クリアボタン１８は３列の中ボタン１２間に昇降自在に取り付けてあり、該クリアボタン１８の両側に配設した突起１９は、その下部に取り付けたクリアボタンスプリング２０の反発力で原点位置に復帰する際に中ボタン１２を原点位置に復帰させ、クリアな状態に戻すことができる。７１はクリアボタンスプリング２０の収納凹部、７２はその前面に形成したつまみである。
【００２１】
図１１（ａ），（ｂ）において、前記ロックプレート１５は３列の穴開き平板状をなし、各穴８１には中ボタン１２がはめ込まれるようになっている。
【００２２】
以上の各部材からなるこの考案のプッシュボタン錠設定探り防止機構においては、次のように操作され、作動する。
各ガードプレート２１−１，２１−２が探り操作前の施錠位置にあるときは図１２（ａ），図１３（ａ）および図１６のようにプッシュボタン１１は各ガードプレート２１−１，２１−２のどこにも当接しないので自由に昇降することができる。このとき、プッシュボタン１１には図１２（ｂ）のように改善案とは異なり、突起３６の通過を許容する凹溝４３が設けられている。また各ガードプレート２１−１，２１−２には図１２（ｃ）のように改善案とは異なり、突起３６がそれぞれプッシュボタン１１に向けて形成されている。
このとき、ボタン部材１０において中ボタン１２は、例えば上から設定ＯＮ、設定ＯＦＦ、設定ＯＦＦに設定されている。
【００２３】
次に、前記オープンボタン１４が押下げられ、図１４（ａ），図１５（ａ）および図１７のようにロックプレート１５およびクリアボタン１８とともに各ガードプレート２１−１，２１−２が探り防止位置に下降すると、各ガードプレート２１−１，２１−２に対し、図１４（ｂ），（ｃ）のようにプッシュボタン１１のフランジ部４２の凹溝４３の両側が、各ガードプレート２１−１，２１−２の凹部３５の上端と突起３６に係合する位置になるよう構成されている。すなわち、プッシュボタン１１は確実かつバランスよく各ガードプレート２１−１，２１−２に保持される。
したがって、前記オープンボタン１４が押下げられた状態でプッシュボタン１１を押して設定された開錠番号の探りを入れた場合、すべてのプッシュボタン１１が何の違和感もなく各ガードプレート２１−１，２１−２に保持されているので、確実に探りを防止することができる。
【００２４】
また、プッシュボタン１１を押し間違えた際にクリアボタン１８を操作すると、該クリアボタン１８の両側に配置した突起１９と中ボタン１２の突起２２の係合がはずれ、クリアボタン１８の下部に取り付けたクリアボタンスプリング２０の反発力で、中ボタン１２を原点位置に復帰させ、クリアな状態に戻すことができる。
前記クリアボタン１８と各ガードプレート２１−１，２１−２とは一体的に動くが、クリアボタン１８を操作しても前記ロックプレート１５は一体的には動くことがない。
【００２５】
また、図１５（ｂ），（ｃ）に示すように、中ボタン１２の心棒１１１を無くしたことにより、プッシュボタン１１と中ボタン１２は何らの関連性もなくなり、ロックプレート１５の押下げ時の中ボタン１２に当接して生じる違和感もまったく発生することがなく、より確実に探りを防止することができる。
【産業上の利用可能性】
【００２６】
この考案のプッシュボタン錠設定探り防止機構は、事業所のロッカーやキャビネット、また机その他の家具等に用いられるプッシュボタン錠に適用することができることはもちろん、この考案の趣旨を変更しない限りにおいて、プッシュボタン錠の用いられる種々の用途に適用することができる。
【符号の説明】
【００２７】
１０  ボタン部材
１１  プッシュボタン
１２  中ボタン
１３  プッシュボタンスプリング
１４  オープンボタンＡ
１５  ロックプレート
１６  オープンボタンＢ
１７  設定ボタン
１８  クリアボタン
１９  突起
２０  クリアボタンスプリング
２１，２１−１，２１−２  ガードプレート
２２  突起
３１  上部ハウジング（ボタンケースＢ）
３２  開錠溝
３３  貫通穴
３４  ガイド
３５  凹部
３６  突起
３７  折曲部
３８  スリット
３９  クリアボタン組付け部
４１  ボタン本体
４２  フランジ部
４３  凹溝
５１  下部ハウジング（ボタンケースＡ）
５２  開口部
５３  ガイド片
６１  凹孔
６２  溝
７１  収納凹部
７２  つまみ
８１  穴
１１１  心棒
【図１】
0003158977.tif 000003
【図２】
0003158977.tif 000004
【図３】
0003158977.tif 000005
【図４】
0003158977.tif 000006
【図５】
0003158977.tif 000007
【図６】
0003158977.tif 000008
【図７】
0003158977.tif 000009
【図８】
0003158977.tif 000010
【図９】
0003158977.tif 000011
【図１０】
0003158977.tif 000012
【図１１】
0003158977.tif 000013
【図１２】
0003158977.tif 000014
【図１３】
0003158977.tif 000015
【図１４】
0003158977.tif 000016
【図１５】
0003158977.tif 000017
【図１６】
0003158977.tif 000018
【図１７】
0003158977.tif 000019
【図１８】
0003158977.tif 000020
【図１９】
0003158977.tif 000021
【図２０】
0003158977.tif 000022
【図２１】
0003158977.tif 000023